(57)【要約】      （修正有）【課題】水稲直播栽培におけるイネ病害虫を効果的に防除し得る播種方法を提供する。【解決手段】圃場へすじ状または点状に薬剤２を施用する工程（Ａ）と、前記工程で施用された薬剤の条の直上または条に対して直交する方向に離れた位置にイネ種子１を点播または条播する工程（Ｂ）とを含み、前記薬剤を施用する工程と、前記イネ種子を点播または条播する工程とは実質的に同時に行われ、前記薬剤は殺菌剤及び殺虫剤からなる群より選ばれる１種以上の薬剤であるイネの播種方法。【選択図】図１
2015029429.tif 000002
【特許請求の範囲】
【請求項１】
圃場へすじ状または点状に薬剤を施用する工程（Ａ）と、薬剤の条の直上または条に対して直交する方向に離れた位置にイネ種子を点播または条播する工程（Ｂ）とを含み、前記薬剤は殺菌剤及び殺虫剤からなる群より選ばれる１種以上の薬剤であるイネの播種方法。
【請求項２】
薬剤の条の直上０〜１０センチメートルの位置にイネ種子を点播または条播する請求項1に記載の方法。
【請求項３】
薬剤の条に対して直交する方向に１〜２０センチメートル離れた位置にイネ種子を点播または条播する請求項１または２に記載の方法。
【請求項４】
イネ種子が被覆材で被覆されてなるイネ種子であり、前記被覆材は、鉄粉、過酸化カルシウム及びモリブデン化合物からなる群より選ばれる１種以上を含む被覆材である請求項１〜３のいずれかに記載の方法。
【請求項５】
殺菌剤が、イソチアニル、フラメトピル、エタボキサム、２−[(２，５−ジメチルフェノキシ)メチル]−α−メトキシ−Ｎ−メチル−ベンゼンアセトアミド、ベノミル、オキソリニック酸、プロベナゾール、チアジニル、ピロキロン及びジクロシメットからなる群より選ばれる１種以上の殺菌剤である、請求項１〜４のいずれかに記載の方法。
【請求項６】
殺虫剤が、クロチアニジン、ニテンピラム、ベンスルタップ、チアメトキサム、ジノテフラン、ピメトロジン、スルホキサフロル、ベンフラカルブ、カルボスルファン及びカルタップ塩酸塩からなる群より選ばれる１種以上の殺虫剤である、請求項１〜５のいずれかに記載の方法。
【発明の詳細な説明】
【技術分野】
【０００１】
本発明は、イネの播種方法に関する。
【背景技術】
【０００２】
従来、水稲の直播栽培において、イネ種子を各種の被覆材で表面処理することにより、種子の浮遊防止、鳥害の防止または苗立ちの改善等を図る技術が知られている（例えば、特許文献１、２、３、４および非許文献１参照）。
また、イネの病害虫防除剤の有効成分として、多くの化合物が知られている（例えば、非特許文献２参照）。
【先行技術文献】
【特許文献】
【０００３】
【特許文献１】特公昭４７−２８７５１号公報
【特許文献２】特許第４４４１６４５号公報
【特許文献３】特開昭６１−０１５８０５号公報
【特許文献４】国際公開２０１１／０９３３４１号
【非特許文献】
【０００４】
【非特許文献１】鉄コーティング湛水直播マニュアル２０１０（独立行政法人  農業・食品産業技術総合研究機構編）ＩＳＢＮ９７８−４−９０３０７８−０５−２
【非特許文献２】Ｔｈｅ  Ｐｅｓｔｉｃｉｄｅ  Ｍａｎｕａｌ−１５ｔｈ  ｅｄｉｔｉｏｎ（ＢＣＰＣ刊）ＩＳＢＮ  ９７８−１−９０１３９６−１８−８
【発明の概要】
【発明が解決しようとする課題】
【０００５】
本発明は、水稲直播栽培におけるイネの病害虫を効果的に防除し得る播種方法を提供することを課題とする。
【課題を解決するための手段】
【０００６】
本発明者等は、水稲直播栽培におけるイネの病害虫を効果的に防除し得る播種方法を見出すべく検討した結果、圃場へすじ状または点状に薬剤を施用する工程（Ａ）と、薬剤の条の直上または条に対して直交する方向に離れた位置にイネ種子を点播または条播する工程（Ｂ）とを行うことにより、水稲直播栽培におけるイネの病害虫を効果的に防除することができることを見出した。
すなわち、本発明は以下の通りである。
［１］  圃場へすじ状または点状に薬剤を施用する工程（Ａ）と、薬剤の条の直上または条に対して直交する方向に離れた位置にイネ種子を点播または条播する工程（Ｂ）とを含み、前記薬剤は殺菌剤及び殺虫剤からなる群より選ばれる１種以上の薬剤であるイネの播種方法。
［２］  薬剤の条の直上０〜１０センチメートルの位置にイネ種子を点播または条播する［１］に記載の方法。
［３］  薬剤の条に対して直交する方向に１〜２０センチメートル離れた位置にイネ種子を点播または条播する［１］または［２］に記載の方法。
［４］  イネ種子が被覆材で被覆されてなるイネ種子であり、前記被覆材は、鉄粉、過酸化カルシウム及びモリブデン化合物からなる群より選ばれる１種以上を含む被覆材である［１］〜［３］のいずれかに記載の方法。
［５］  殺菌剤が、イソチアニル、フラメトピル、エタボキサム、２−[(２，５−ジメチルフェノキシ)メチル]−α−メトキシ−Ｎ−メチル−ベンゼンアセトアミド、ベノミル、オキソリニック酸、プロベナゾール、チアジニル、ピロキロン及びジクロシメットからなる群より選ばれる１種以上の殺菌剤である、［１］〜［４］のいずれかに記載の方法。
［６］  殺虫剤が、クロチアニジン、ニテンピラム、ベンスルタップ、チアメトキサム、ジノテフラン、ピメトロジン、スルホキサフロル、ベンフラカルブ、カルボスルファン及びカルタップ塩酸塩からなる群より選ばれる１種以上の殺虫剤である、［１］〜［５］のいずれかに記載の方法。
【発明の効果】
【０００７】
本発明により、水稲直播栽培におけるイネの病害虫を効果的に防除することができる。
【図面の簡単な説明】
【０００８】
【図１】圃場へすじ状に薬剤を施用し、薬剤の条の直上にイネ種子を点播した状態を示す説明図である。
【図２】圃場へすじ状に薬剤を施用し、薬剤の条の直上にイネ種子を条播した状態を示す説明図である。
【図３】圃場へすじ状に薬剤を施用し、薬剤の条に対して直交する方向に離れた位置にイネ種子を点播した状態を示す説明図である。
【図４】圃場へすじ状に薬剤を施用し、薬剤の条に対して直交する方向に離れた位置にイネ種子を条播した状態を示す説明図である。
【図５】圃場へ点状に薬剤を施用し、薬剤の条の直上にイネ種子を点播した状態を示す説明図である。
【発明を実施するための形態】
【０００９】
本発明は、圃場へすじ状または点状に薬剤を施用する工程（Ａ）（以下、工程Ａと記すことがある。）と、薬剤の条の直上または条に対して直交する方向に離れた位置にイネ種子を点播または条播する工程（Ｂ）（以下、工程Ｂと記すことがある。）とを含むことを特徴とする。本発明おいて圃場とは、乾田、湛水された水田、及び湛水後に自然落水させた水田のいずれかを指す。
工程Ａは、圃場に作られた溝へ薬剤をすじ状または点状に配置し、必要に応じて覆土する工程であり、より具体的には、作溝しながら該溝内に薬剤を落とした後、必要に応じて覆土する。該溝は、土壌表面からの深さが通常１０センチメートル以下、好ましくは０．５〜５センチメートルの範囲、幅が通常３センチメートル以下、好ましくは０．５〜１．５センチメートルの範囲となるように作られる。本発明において点状に薬剤を施用するとは、薬剤を一定間隔で配置する方法により施用することを意味する。また、薬剤がすじ状または点状に施用される位置（線）を本発明において薬剤の条といい、圃場に作られる溝とほぼ一致する。
工程Ｂは、薬剤の条の直上または条に対して直交する方向に離れた位置にイネ種子を点播または条播する工程である。工程Ａに次いで工程Ｂを実施してもよいし、順序を逆転させても何ら差し支えない。通常工程Ａと工程Ｂとは同時に行う。本発明において同時に行うとは、先の工程を行った日から３日以内に後の工程を行うことを意味する。好ましくは、工程Ａと工程Ｂとは同日に行う。
【００１０】
以下、本発明の好ましい実施態様を図により説明する。
【００１１】
図１は、圃場へすじ状に薬剤２を施用し、薬剤２の条の直上にイネ種子１を点播した状態を示し、（ａ）は圃場を、薬剤２の条に直交する面で垂直に切断した断面図であり、（ｂ）は薬剤２の条が上下になるように真上から見た投影図である（以下、各図における（ａ）及び（ｂ）に関する説明は同じであるため省略する。）。図１において、土壌表面３から薬剤２までの距離ｄ１は、圃場に作られる溝の深さとほぼ同じである（以下、各図におけるｄ１に関する説明は同じであるため省略する。）。
図２は、圃場へすじ状に薬剤２を施用し、薬剤２の条の直上にイネ種子１を条播した状態を示す。
通常、作溝しながら該溝内に薬剤２を落とした後、必要に応じて覆土しながら播種することにより、図１または２に示す状態になる。
【００１２】
図３は、圃場へすじ状に薬剤２を施用し、薬剤２の条に対して直交する方向に離れた位置にイネ種子１を点播した状態を示す。薬剤２の条に対して直交する方向での薬剤２の条からイネ種子１までの距離ｄ２は、通常１〜２０センチメートル、好ましくは３〜１０センチメートルの範囲である（以下、各図におけるｄ２に関する説明は同じであるため省略する。）。
図４は、圃場へすじ状に薬剤２を施用し、薬剤２の条に対して直交する方向に離れた位置にイネ種子１を条播した状態を示す。
【００１３】
図５は、圃場へ点状に薬剤２を施用し、薬剤２の条の直上にイネ種子１を点播した状態を示す。通常、作溝しながら該溝内に薬剤２を落とした後、必要に応じて覆土しながら播種することにより、図５に示す状態になる。
【００１４】
本発明においてイネとは、イネ属（Ｏｒｙｚａ）の一年生植物のうち、栽培種であるＯｒｙｚａ  ｓａｔｉｖａ、Ｏｒｙｚａ  ｇｌａｂｅｒｒｉｍａ、およびこれらの雑種を指す。イネには多くの栽培品種が知られているが、一般的に作物として栽培される品種であれば限定されない。
【００１５】
かかるイネの品種には、イソキサフルトール等の４−ヒドロキシフェニルピルビン酸ジオキシゲナーゼ（以後ＨＰＰＤと略する）阻害剤、イマゼタピル、チフェンスルフロンメチル等のアセト乳酸合成酵素（以後ＡＬＳと略する）阻害剤、グリホサート等の５−エノールピルビルシキミ酸−３−リン酸シンターゼ阻害剤、グルホシネート等のグルタミン合成酵素阻害剤、２，４−Ｄ、ジカンバ等のオーキシン型除草化合物、ブロモキシニル等の除草化合物に対する耐性が、古典的な育種法、又は遺伝子組換え技術により付与された品種も含まれる。
【００１６】
古典的な育種法により除草化合物に対する耐性が付与された品種の例として、イマゼタピル等のイミダゾリノン系ＡＬＳ阻害型除草化合物に耐性のイネがあり、Ｃ１ｅａｒｆｉｅｌｄ（登録商標）の商品名で既に販売されている。
【００１７】
遺伝子組換え技術により除草化合物に対する耐性が付与された品種の例として、グルホシネートに耐性のイネがあり、Ｌｉｂｅｒｔｙ  Ｌｉｎｋ（登録商標）ＲｉｃｅまたはＬＬ  Ｒｉｃｅの商品名で開発されている。
【００１８】
アセチルＣｏＡカルボキシラーゼ阻害剤に耐性の変異アセチルＣｏＡカルボキシラーゼがＷｅｅｄ  Ｓｃｉｅｎｃｅ（２００５）  Ｖｏｌ．５３  ７２８−７４６頁等に報告されており、こうした変異アセチルＣｏＡカルボキシラーゼ遺伝子を遺伝子組換え技術により植物に導入するか若しくは抵抗性付与に関わる変異を植物アセチルＣｏＡカルボキシラーゼに導入する事により、アセチルＣｏＡカルボキシラーゼ阻害剤に耐性の植物を作出することができる。さらに、キメラプラスティ技術（Ｇｕｒａ  Ｔ．  １９９９．  Ｒｅｐａｉｒｉｎｇ  Ｔｈｅ  Ｇｅｎｏｍｅ’ｓ  Ｓｐｅｌｌｉｎｇ  Ｍｉｓｔａｋｅｓ．  Ｓｃｉｅｎｃｅ  ２８５：  ３１６−３１８）に代表される塩基置換変異導入核酸を植物細胞内に導入して植物のアセチルＣｏＡカルボキシラーゼ遺伝子やＡＬＳ遺伝子等に部位特異的アミノ酸置換変異を導入することにより、アセチルＣｏＡカルボキシラーゼ阻害剤やＡＬＳ阻害剤等に耐性の植物を作出することができる。
【００１９】
シュードモナス・マルトフィリア（Ｐｓｅｕｄｏｍｏｎａｓ  ｍａｌｔｏｐｈｉｌｉａ）より単離されたジカンバモノオキシゲナーゼ（ｄｉｃａｍｂａ  ｍｏｎｏｏｘｙｇｅｎａｓｅ）を含むジカンバの分解酵素をコードする遺伝子を導入し、ジカンバに耐性の植物を作出することができる（Ｂｅｈｒｅｎｓ  ｅｔ  ａｌ．２００７年  Ｄｉｃａｍｂａ  Ｒｅｓｉｓｔａｎｃｅ：Ｅｎｌａｒｇｉｎｇ  ａｎｄ  Ｐｒｅｓｅｒｖｉｎｇ  Ｂｉｏｔｅｃｈｎｏｌｏｇｙ−Ｂａｓｅｄ  Ｗｅｅｄ  Ｍａｎａｇｅｍｅｎｔ  Ｓｔｒａｔｅｇｉｅｓ．Ｓｃｉｅｎｃｅ３１６：１１８５−１１８８）。
アリールオキシアルカノエートジオキシゲナーゼ（ａｒｙｌｏｘｙａｌｋａｎｏａｔｅ  ｄｉｏｘｙｇｅｎａｓｅ）をコードする遺伝子を導入し、２，４−Ｄ、ＭＣＰＡ、ジクロプロップ、メコプロップ等のフェノキシ酸系除草化合物と、キザロホップ、ハロキシホップ、シハロホップ、クロジナホップ等のアリールオキシフェノキシプロピオン酸系除草化合物とに耐性となる植物を作出することができる（ＷＯ２００５／１０７４３７、ＷＯ２００７／０５３４８２、ＷＯ２００８／１４１１５４）。
【００２０】
ＨＰＰＤ阻害剤に対して抵抗性を示すＨＰＰＤ酵素をコードする遺伝子を導入し、ＨＰＰＤ阻害剤に耐性の植物を作出することができる（ＵＳ２００４／００５８４２７）。
植物を除草化合物に対して耐性にする方法として、他にＷＯ９８／２０１４４、ＷＯ２００２／４６３８７、ＵＳ２００５／０２４６８００に記載される遺伝子を導入する方法が挙げられる。
【００２１】
上記のイネ品種には、遺伝子組換え技術を用いて、例えば、バチルス属で知られている選択的毒素等を合成することが可能となった品種も含まれる。
このような遺伝子組換え植物で発現される毒素として、バチルス・セレウス（Ｂａｃｉｌｌｕｓ  ｃｅｒｅｕｓ）やバチルス・ポピリエ（Ｂａｃｉｌｌｕｓ  ｐｏｐｉｌｌｉａｅ）由来の殺虫性タンパク；バチルス・チューリンゲンシス（Ｂａｃｉｌｌｕｓ  ｔｈｕｒｉｎｇｉｅｎｓｉｓ）由来のＣｒｙ１Ａｂ、Ｃｒｙ１Ａｃ、Ｃｒｙ１Ｆ、Ｃｒｙ１Ｆａ２、Ｃｒｙ２Ａｂ、Ｃｒｙ３Ａ、Ｃｒｙ３Ｂｂ１又はＣｒｙ９Ｃなどのδ−エンドトキシン、ＶＩＰ１、ＶＩＰ２、ＶＩＰ３又はＶＩＰ３Ａなどの殺虫タンパク；線虫由来の殺虫タンパク；さそり毒素、クモ毒素、ハチ毒素又は昆虫特異的神経毒素等の動物によって産生される毒素；糸状菌類毒素；植物レクチン；アグルチニン；トリプシン阻害剤、セリンプロテアーゼ阻害剤、パタチン、シスタチン、パパイン阻害剤等のプロテアーゼ阻害剤；リシン、トウモロコシ−ＲＩＰ、アブリン、ルフィン、サポリン、ブリオジン等のリボゾーム不活性化タンパク（ＲＩＰ）；３−ヒドロキシステロイドオキシダーゼ、エクジステロイド−ＵＤＰ−グルコシルトランスフェラーゼ、コレステロールオキシダーゼ等のステロイド代謝酵素；エクダイソン阻害剤；ＨＭＧ−ＣｏＡリダクターゼ；ナトリウムチャネル阻害剤、カルシウムチャネル阻害剤等のイオンチャネル阻害剤；幼若ホルモンエステラーゼ；利尿ホルモン受容体；スチルベンシンターゼ；ビベンジルシンターゼ；キチナーゼ；グルカナーゼ等が挙げられる。
また、この様な遺伝子組換え作物で発現される毒素として、Ｃｒｙ１Ａｂ、Ｃｒｙ１Ａｃ、Ｃｒｙ１Ｆ、Ｃｒｙ１Ｆａ２、Ｃｒｙ２Ａｂ、Ｃｒｙ３Ａ、Ｃｒｙ３Ｂｂ１、Ｃｒｙ９Ｃ、Ｃｒｙ３４ＡｂまたはＣｒｙ３５Ａｂなどのδ−エンドトキシンタンパク、ＶＩＰ１、ＶＩＰ２、ＶＩＰ３又はＶＩＰ３Ａなどの殺虫タンパクのハイブリッド毒素、一部を欠損した毒素、修飾された毒素も含まれる。ハイブリッド毒素は組換え技術を用いて、これらタンパクの異なるドメインの新しい組み合わせによって作り出される。
一部を欠損した毒素としては、アミノ酸配列の一部を欠損したＣｒｙ１Ａｂが知られている。修飾された毒素は、天然型毒素のアミノ酸の１つまたは複数が置換されている。これら毒素の例およびこれら毒素を合成する事ができる組換え植物は、ＥＰ−Ａ−０  ３７４  ７５３、ＷＯ  ９３／０７２７８、ＷＯ  ９５／３４６５６、ＥＰ−Ａ−０  ４２７  ５２９、ＥＰ−Ａ−４５１  ８７８、ＷＯ  ０３／０５２０７３などに記載されている。これらの組換え植物に含まれる毒素は、特に、甲虫目害虫、双翅目害虫、鱗翅目害虫への耐性を植物へ付与する。
また、１つ若しくは複数の殺虫性の害虫抵抗性遺伝子を含み、１つ又は複数の毒素を発現する遺伝子組換え植物は既に知られており、いくつかのものは市販されている。
【００２２】
上記のイネ品種には、遺伝子組換え技術を用いて、選択的な作用を有する抗病原性物質を産生する能力を付与されたものも含まれる。抗病原性物質の例として、ＰＲタンパク等が知られている（ＰＲＰｓ、ＥＰ−Ａ−０  ３９２  ２２５）。このような抗病原性物質とそれを産生する遺伝子組換え植物は、ＥＰ−Ａ−０  ３９２  ２２５、ＷＯ  ９５／３３８１８、ＥＰ−Ａ−０  ３５３  １９１などに記載されている。こうした遺伝子組換え植物で発現される抗病原性物質の例として、例えば、ナトリウムチャンネル阻害剤、カルシウムチャンネル阻害剤（ウイルスが産生するＫＰ１、ＫＰ４、ＫＰ６毒素などが知られている。）などのイオンチャネル阻害剤；スチルベンシンターゼ；ビベンジルシンターゼ；キチナーゼ；グルカナーゼ；ＰＲタンパク質；ペプチド抗生物質、ヘテロ環を有する抗生物質、植物病害抵抗性に関与するタンパク因子（植物病害抵抗性遺伝子と呼ばれ、ＷＯ  ０３／００９０６に記載されている。）などの微生物が産生する抗病原性物質などが挙げられる。
【００２３】
上記のイネ品種には、遺伝子組換え技術を用いて、ビタミン含量増強形質などの有用形質を付与したものや、スギ花粉症予防効果ペプチド含有イネのようなアレルゲン遺伝子の発現を抑制したものをも含む。例として、可食部位のベータカロテン含量を増強したイネであるＧｏｌｄｅｎ  ｒｉｃｅが挙げられる（Ｓｃｉｅｎｃｅ  ２８７（５４５１）：  ３０３−３０５）。さらに、上記の古典的な除草化合物形質又は除草化合物耐性遺伝子、殺虫性害虫抵抗性遺伝子、抗病原性物質産生遺伝子、油糧成分改質やアミノ酸含量増強形質などの有用形質について、これらを複数組み合わせたスタック品種をも含む。
【００２４】
本発明におけるイネ種子とは、上記イネの種子を指す。また、イネ種子としては、被覆材で被覆されてなるイネ種子を使用することもできる。
【００２５】
本発明における被覆材とは、イネ種子の表面に付着させて被覆することによって種子の浮遊や鳥害の防止または苗立ちの改善等の作用を示すものであり、かかる被覆材としては、例えば、鉄粉、過酸化カルシウムおよびモリブデン化合物が挙げられる。これらの被覆材は各々を単独で用いる他、任意の比率で混合して用いることもでき、また必要に応じ、増量やイネ種子への固着性向上等の目的で補助材を添加することができる。被覆材で被覆されてなるイネ種子は、被覆材を用いて例えば粉衣処理することにより得ることができる。なお、本発明において粉衣処理とは、粉状の被覆材をイネ種子の表面に付着させることを意味する。
【００２６】
鉄粉としては、例えば、還元鉄粉、アトマイズ鉄粉、電解鉄粉、および酸化鉄粉が挙げられ、これら２種以上の混合物を使用することもできる。本発明においては、還元鉄粉、酸化鉄粉または還元鉄粉と酸化鉄粉との混合物の使用が好ましい。より詳しくは、酸化鉄または鉄塩を水素などで還元して得られる鉄粉が還元鉄粉、溶融鉄の流れに８〜２０ＭＰａの高圧の水ジェットを噴射して得られる鉄粉がアトマイズ鉄粉、硫酸鉄などの溶液から電解によって鉄を析出させ、電解鉄フレークを得て、これをロッドミルや振動ミル粉砕し焼きなまして得られる鉄粉が電解鉄粉とそれぞれ呼ばれる。また、酸化鉄粉は、酸化数がIIおよび／またはIIIの鉄の酸化物である。本発明に用いられる鉄粉は粉状であれば使用に差し支えないが、粒度１０〜１００μｍに調整して使用することが好ましい。かかる鉄粉は市販品として入手可能であり、例えば、ＤＳＰ３１７鉄粉（ＤＯＷＡ（ドーワ）ＩＰ（アイピー）クリエイション株式会社製）、農業用鉄粉（ダイテツ工業株式会社製）、農業用鉄粉（株式会社テツゲン製）、ヘマタイト（ＤＯＷＡ（ドーワ）ＩＰ（アイピー）クリエイション株式会社製）が挙げられる。
本発明において、さらに焼石膏を用いてもよい。かかる焼石膏としては、粉状の硫酸カルシウム・１／２水和物（ＣａＳＯ4・１／２Ｈ2Ｏ）であればよく、市販のものを用いることができる。
【００２７】
鉄粉を用いるイネ種子の粉衣処理は種々の形態を採り得るが、通常、鉄粉を用いるイネ種子の粉衣処理方法として公知の方法（「鉄コーティング湛水直播マニュアル２０１０」、独立行政法人  農業・食品産業技術総合研究機構、２０１０年３月、ＩＳＢＮ９７８−４−９０３０７８−０５−２）と同様の操作により行われる。具体的には、発芽する前の乾燥したイネ種子を水中に浸漬し、水切りした後、鉄粉及び必要に応じ、焼石膏で前記のイネ種子を粉衣処理する。これらの処理をおこなった後に必要に応じ、さらに仕上げとして焼石膏で粉衣処理した後、通常は、平面上に敷かれた茣蓙等の上に置き陰干しする等して乾燥させる。
【００２８】
イネ種子に対する鉄粉の使用量は、イネ種子の乾燥重量１０００グラムに対して、鉄粉が通常１００〜２０００グラムである。また、さらに焼石膏で粉衣処理する場合の焼石膏の量は、イネ種子の乾燥重量１０００グラムに対して、通常５〜１００グラムであり、仕上げとしてさらに焼石膏で粉衣処理する場合の焼石膏の量は、イネ種子の乾燥重量１０００グラムに対して、通常０〜５０グラムである。
【００２９】
過酸化カルシウムとしては、過酸化カルシウム単体を粒度１０〜１５０μｍの粉体に調製したものを用いることができるが、必要に応じてモンモリロナイト等の鉱物粉末や焼石膏等を補助材として混和した組成物とすることもできる。かかる過酸化カルシウム含有組成物は市販品として入手可能であり、例えば、カルパー粉粒剤１６（保土谷ＵＰＬ株式会社製）が挙げられる。
【００３０】
過酸化カルシウムを用いるイネ種子の粉衣処理は種々の形態を採り得るが、通常、過酸化カルシウムを用いるイネ種子の粉衣処理方法として公知の方法（特開昭６１−０１５８０５号公報）と同様の操作により行われる。具体的には、発芽する前の乾燥したイネ種子を水中に浸漬し、水切りした後、過酸化カルシウム粉末もしくは過酸化カルシウム含有組成物でイネ種子を粉衣処理する。これらの処理をおこなった後、通常は、平面上に敷かれた茣蓙等の上に置き陰干しする等して乾燥させる。
【００３１】
イネ種子に対する過酸化カルシウムまたは過酸化カルシウム含有組成物の使用量は、イネ種子の乾燥重量１０００グラムに対して、通常、過酸化カルシウム単体に換算して１００〜１０００グラムである。
【００３２】
モリブデン化合物としては、例えば、モリブデン単体、酸化モリブデン、モリブデン酸とその塩、モリブドりん酸とその塩、モリブドケイ酸とその塩が挙げられる。モリブデン酸の塩としては例えば、モリブデン酸カルシウム、モリブデン酸マグネシウム、モリブデン酸アンモニウム、モリブデン酸ナトリウム、モリブデン酸カリウムが挙げられる。モリブドりん酸塩としては、モリブドりん酸アンモニウム、モリブドりん酸ナトリウム、モリブドりん酸カリウムが挙げられる。かかるモリブデン化合物は市販品として入手可能であり、例えば、三酸化モリブデン（日本無機化学工業株式会社）が挙げられる。
【００３３】
モリブデン化合物を用いるイネ種子の処理は種々の形態を採り得るが、通常、モリブデン化合物を用いるイネ種子の処理方法として公知の方法（ＷＯ  ２０１１／０９３３４１号公報）と同様の操作により行われる。具体的には、ポリビニルアルコール等の接着剤を用いてイネ種子表面に固着させる、溶液に調製してこれにイネ種子を浸漬する、鉄粉及び／または過酸化カルシウムを含有する被覆材と混用してイネ種子に粉衣するといった操作が挙げられる。
【００３４】
イネ種子に対するモリブデン化合物の使用量は、イネ種子の乾燥重量１０００グラムに対して、通常、モリブデン換算で０．０１〜１０ｍｏｌである。
【００３５】
本発明において薬剤とは、殺菌剤及び殺虫剤からなる群より選ばれる１種以上の薬剤を指す。
【００３６】
かかる殺菌剤としては、例えば、フサライド、トリシクラゾール、ピロキロン、イソチアニル、プロベナゾール、チアジニル、ジクロシメット、カルプロパミド、フェノキサニル、オリサストロビン、アゾキシストロビン、メトミノストロビン、イソプロチオラン、フェリムゾン、フルトラニル、フラメトピル、メプロニル、ペンシクロン、チフルザミド、ペンフルフェン、シメコナゾール、バリダマイシンA、ベノミル、チオファネートメチル、オキソリニック酸、２−[(２，５−ジメチルフェノキシ)メチル]−α−メトキシ−Ｎ−メチル−ベンゼンアセトアミド（ＣＡＳ登録番号１７３６６２−９７−０）、エタボキサム、メタラキシル、イプコナゾール、プロクロラズ、フルジオキソニル、トリフミゾール、ペフラゾエート、ヒドロキシイソキサゾール、テトラクロロインソフタロニトリル、カスガマイシン、銅剤、金属銀、チウラム、微生物資材（トリコデルマ、バチルス、タラロマイセス）が挙げられ、好ましくはイソチアニル、フラメトピル、エタボキサム、２−[(２，５−ジメチルフェノキシ)メチル]−α−メトキシ−Ｎ−メチル−ベンゼンアセトアミド、ベノミル、オキソリニック酸、プロベナゾール、チアジニル、ピロキロン、及びジクロシメットが挙げられる。
【００３７】
フラメトピル（Ｆｕｒａｍｅｔｐｙｒ）、エタボキサム（Eｔａｂｏｘａｍ）、ベノミル（Ｂｅｎｏｍｙｌ）、オキソニリック酸（Ｏｘｏｌｉｎｉｃ  ａｃｉｄ）、プロベナゾール（Ｐｒｏｂｅｎａｚｏｌｅ）、チアジニル（Ｔｉａｄｉｎｉｌ）、ピロキロン（Ｐｙｒｏｑuｉｌｏｎ）、ジクロシメット（Ｄｉｃｌｏｃｙｍｅｔ）はいずれも公知の化合物であり、例えば「Ｔｈｅ  Ｐｅｓｔｉｃｉｄｅ  Ｍａｎｕａｌ−１５ｔｈ  ｅｄｉｔｉｏｎ（ＢＣＰＣ刊） ＩＳＢＮ  ９７８−１−９０１３９６−１８−８」の８５ページ、３４０ページ、４３５ページ、５８０ページ、９１７ページ、１１２４ページ、９９５ページ、８５３ページに記載されている。これらの化合物は市販の製剤から得るか、公知の方法により製造することができる。
また、イソチアニル（Ｉｓｏｔｉａｎｉｌ）、２−[(２，５−ジメチルフェノキシ)メチル]−α−メトキシ−Ｎ−メチル−ベンゼンアセトアミドも公知の化合物であり、例えば特許第４０８８０３６号公報およびＷＯ  ９７／３０９６５号公報に記載された方法により製造することができる。
【００３８】
かかる殺虫剤としては、例えば、クロチアニジン、イミダクロプリド、ジノテフラン、チアクロプリド、チアメトキサム、エチプロール、フィプロニル、クロラントラニリプロール、シアントアニリプロール、スピネトラム、スピノサド、カルタップ、ベンスルタップ、チオシクラム、テブフェノジド、クロマフェノジド、メトキシフェノジド、ブプロフェジン、フェニトロチオン、エトフェンプロックス、シラフルオフェン、カルボスルファン、ベンフラカルブ、ピメトロジン、フロニカミド等が挙げられ、好ましくは、クロチアニジン、ニテンピラム、チアメトキサム、ジノテフラン、ピメトロジン、スルホキサフロル、クロラントラニリプロール、シアントラニリプロール、スピネトラム、ベンスルタップ、ベンフラカルブ、カルボスルファン及びカルタップ塩酸塩が挙げられる。
【００３９】
クロチアニジン（Ｃｌｏｔｈｉａｎｉｄｉｎ）、ニテンピラム（Ｎｉｔｅｎｐｙｒａｍ）、チアメトキサム（Ｔｈｉａｍｅｔｈｏｘａｍ）、ジノテフラン（Ｄｉｎｏｔｅｆｕｒａｎ）、ピメトロジン（Ｐｙｍｅｔｒｏｚｉｎｅ）、スルホキサフロル（Ｓｕｌｆｏｘａｆｌｏｒ）、クロラントラニリプロール（Ｃｈｌｏｒａｎｔｒａｎｉｌｉｐｒｏｌｅ）、シアントラニリプロール（Ｃｙａｎｔｒａｎｉｌｉｐｒｏｌｅ）、スピネトラム（Ｓｐｉｎｅｔｏｒａｍ）、ベンスルタップ（Ｂｅｎｓｕｌｔａｐ）、ベンフラカルブ（Ｂｅｎｆｕｒａｃａｒｂ）、カルボスルファン（Ｃａｒｂｏｓｕｌｆａｎ）及びカルタップ塩酸塩（Ｃａｒｔａｐ  ｈｙｄｒｏｃｈｌｏｒｉｄｅ）はいずれも公知の化合物であり、例えば「Ｔｈｅ  Ｐｅｓｔｉｃｉｄｅ  Ｍａｎｕａｌ−１５ｔｈ  ｅｄｉｔｉｏｎ（ＢＣＰＣ刊） ＩＳＢＮ  ９７８−１−９０１３９６−１８−８」の１６８ページ、８０９ページ、１１０４ページ、３８４ページ、９５９ページ、１０５７ページ、１７５ページ、２２９ページ、１０３４ページ、９１ページ、８２ページ、１６０ページ及び２５１ページに記載されている。
これらの化合物は市販の製剤から得るか、公知の方法により製造することができる。
【００４０】
本発明において使用される薬剤は、単独で使用してもよく、また、それぞれ混用して使用してもよい。
【００４１】
混用して使用する場合の薬剤の組み合わせとしては、以下の［表１］に示される組み合わせが好ましい。［表１］に記載のI〜VIIIの説明を以下に示す。
I．クロチアニジン、ニテンピラム、チアメトキサム、ジノテフラン、ピメトロジン、スルホキサフロル、ベンフラカルブ及びカルボスルファンからなる群より選ばれる１種以上
II．カルタップ塩酸塩及びベンスルタップからなる群より選ばれる１種以上
III．イソチアニル、プロベナゾール、チアジニル、ピロキロン及びジクロシメットからなる群より選ばれる１種以上
IV．フラメトピル
V．２−[(２，５−ジメチルフェノキシ)メチル]−α−メトキシ−Ｎ−メチル−ベンゼンアセトアミド
VI．エタボキサム
VII．ベノミル
VIII．オキソリニック酸
【００４２】
［表１］
2015029429.tif 000003
［表１］のつづき
2015029429.tif 000004
［表１］のつづき
2015029429.tif 000005
［表１］のつづき
2015029429.tif 000006
［表１］のつづき
2015029429.tif 000007
［表１］のつづき
2015029429.tif 000008
【００４３】
以下、本発明にて用いられる薬剤（又は薬剤の組合せ）を具体的に列挙する。
[イソチアニル]、[イソチアニル,カルタップ塩酸塩]、[イソチアニル,カルタップ塩酸塩,フラメトピル]、[イソチアニル,カルボスルファン]、[イソチアニル,カルボスルファン,カルタップ塩酸塩]、[イソチアニル,カルボスルファン,カルタップ塩酸塩,フラメトピル]、[イソチアニル,カルボスルファン,クロチアニジン]、[イソチアニル,カルボスルファン,クロチアニジン,フラメトピル]、[イソチアニル,カルボスルファン,ジノテフラン]、[イソチアニル,カルボスルファン,ジノテフラン,フラメトピル]、[イソチアニル,カルボスルファン,ピメトロジン]、[イソチアニル,カルボスルファン,ピメトロジン,フラメトピル]、[イソチアニル,カルボスルファン,フィプロニル]、[イソチアニル,カルボスルファン,フィプロニル,フラメトピル]、[イソチアニル,カルボスルファン,フラメトピル]、[イソチアニル,クロチアニジン]、[イソチアニル,クロチアニジン,カルタップ塩酸塩]、[イソチアニル,クロチアニジン,フラメトピル]、[イソチアニル,クロチアニジン,フラメトピル,カルタップ塩酸塩]、[イソチアニル,ジノテフラン]、[イソチアニル,ジノテフラン,カルタップ塩酸塩]、[イソチアニル,ジノテフラン,カルタップ塩酸塩,フラメトピル]、[イソチアニル,ジノテフラン,ピメトロジン]、[イソチアニル,ジノテフラン,ピメトロジン,フラメトピル]、[イソチアニル,ジノテフラン,フィプロニル]、[イソチアニル,ジノテフラン,フィプロニル,フラメトピル]、[イソチアニル,ジノテフラン,フラメトピル]、[イソチアニル,チアメトキサム]、[イソチアニル,チアメトキサム,カルタップ塩酸塩]、[イソチアニル,チアメトキサム,カルタップ塩酸塩,フラメトピル]、[イソチアニル,チアメトキサム,ピメトロジン]、[イソチアニル,チアメトキサム,ピメトロジン,フラメトピル]、[イソチアニル,チアメトキサム,フィプロニル]、[イソチアニル,チアメトキサム,フィプロニル,フラメトピル]、[イソチアニル,チアメトキサム,フラメトピル]、[イソチアニル,ピメトロジン]、[イソチアニル,ピメトロジン,カルタップ塩酸塩]、[イソチアニル,ピメトロジン,カルタップ塩酸塩,フラメトピル]、[イソチアニル,ピメトロジン,クロチアニジン]、[イソチアニル,ピメトロジン,クロチアニジン,フラメトピル]、[イソチアニル,ピメトロジン,フィプロニル]、[イソチアニル,ピメトロジン,フィプロニル,フラメトピル]、[イソチアニル,ピメトロジン,フラメトピル]、[イソチアニル,フィプロニル]、[イソチアニル,フィプロニル,カルタップ塩酸塩]、[イソチアニル,フィプロニル,カルタップ塩酸塩,フラメトピル]、[イソチアニル,フィプロニル,クロチアニジン]、[イソチアニル,フィプロニル,クロチアニジン,フラメトピル]、[イソチアニル,フィプロニル,フラメトピル]、[イソチアニル,フラメトピル]、[イソチアニル,ベンフラカルブ]、[イソチアニル,ベンフラカルブ,カルタップ塩酸塩]、[イソチアニル,ベンフラカルブ,カルタップ塩酸塩,フラメトピル]、[イソチアニル,ベンフラカルブ,クロチアニジン]、[イソチアニル,ベンフラカルブ,クロチアニジン,フラメトピル]、[イソチアニル,ベンフラカルブ,ジノテフラン]、[イソチアニル,ベンフラカルブ,ジノテフラン,フラメトピル]、[イソチアニル,ベンフラカルブ,ピメトロジン]、[イソチアニル,ベンフラカルブ,ピメトロジン,フラメトピル]、[イソチアニル,ベンフラカルブ,フィプロニル]、[イソチアニル,ベンフラカルブ,フィプロニル,フラメトピル]、[イソチアニル,ベンフラカルブ,フラメトピル]、[ジクロシメット]、[ジクロシメット,カルタップ塩酸塩]、[ジクロシメット,カルタップ塩酸塩,フラメトピル]、[ジクロシメット,カルボスルファン]、[ジクロシメット,カルボスルファン,カルタップ塩酸塩]、[ジクロシメット,カルボスルファン,カルタップ塩酸塩,フラメトピル]、[ジクロシメット,カルボスルファン,クロチアニジン]、[ジクロシメット,カルボスルファン,クロチアニジン,フラメトピル]、[ジクロシメット,カルボスルファン,ジノテフラン]、[ジクロシメット,カルボスルファン,ジノテフラン,フラメトピル]、[ジクロシメット,カルボスルファン,ピメトロジン]、[ジクロシメット,カルボスルファン,ピメトロジン,フラメトピル]、[ジクロシメット,カルボスルファン,フィプロニル]、[ジクロシメット,カルボスルファン,フィプロニル,フラメトピル]、[ジクロシメット,カルボスルファン,フラメトピル]、[ジクロシメット,クロチアニジン]、[ジクロシメット,クロチアニジン,カルタップ塩酸塩]、[ジクロシメット,クロチアニジン,フラメトピル]、[ジクロシメット,クロチアニジン,フラメトピル,カルタップ塩酸塩]、[ジクロシメット,ジノテフラン]、[ジクロシメット,ジノテフラン,カルタップ塩酸塩]、[ジクロシメット,ジノテフラン,カルタップ塩酸塩,フラメトピル]、[ジクロシメット,ジノテフラン,ピメトロジン]、[ジクロシメット,ジノテフラン,ピメトロジン,フラメトピル]、[ジクロシメット,ジノテフラン,フィプロニル]、[ジクロシメット,ジノテフラン,フィプロニル,フラメトピル]、[ジクロシメット,ジノテフラン,フラメトピル]、[ジクロシメット,チアメトキサム]、[ジクロシメット,チアメトキサム,カルタップ塩酸塩]、[ジクロシメット,チアメトキサム,カルタップ塩酸塩,フラメトピル]、[ジクロシメット,チアメトキサム,ピメトロジン]、[ジクロシメット,チアメトキサム,ピメトロジン,フラメトピル]、[ジクロシメット,チアメトキサム,フィプロニル]、[ジクロシメット,チアメトキサム,フィプロニル,フラメトピル]、[ジクロシメット,チアメトキサム,フラメトピル]、[ジクロシメット,ピメトロジン]、[ジクロシメット,ピメトロジン,カルタップ塩酸塩]、[ジクロシメット,ピメトロジン,カルタップ塩酸塩,フラメトピル]、[ジクロシメット,ピメトロジン,クロチアニジン]、[ジクロシメット,ピメトロジン,クロチアニジン,フラメトピル]、[ジクロシメット,ピメトロジン,フィプロニル]、[ジクロシメット,ピメトロジン,フィプロニル,フラメトピル]、[ジクロシメット,ピメトロジン,フラメトピル]、[ジクロシメット,フィプロニル]、[ジクロシメット,フィプロニル,カルタップ塩酸塩]、[ジクロシメット,フィプロニル,カルタップ塩酸塩,フラメトピル]、[ジクロシメット,フィプロニル,クロチアニジン]、[ジクロシメット,フィプロニル,クロチアニジン,フラメトピル]、[ジクロシメット,フィプロニル,フラメトピル]、[ジクロシメット,フラメトピル]、[ジクロシメット,ベンフラカルブ]、[ジクロシメット,ベンフラカルブ,カルタップ塩酸塩]、[ジクロシメット,ベンフラカルブ,カルタップ塩酸塩,フラメトピル]、[ジクロシメット,ベンフラカルブ,クロチアニジン]、[ジクロシメット,ベンフラカルブ,クロチアニジン,フラメトピル]、[ジクロシメッ���,ベンフラカルブ,ジノテフラン]、[ジクロシメット,ベンフラカルブ,ジノテフラン,フラメトピル]、[ジクロシメット,ベンフラカルブ,ピメトロジン]、[ジクロシメット,ベンフラカルブ,ピメトロジン,フラメトピル]、[ジクロシメット,ベンフラカルブ,フィプロニル]、[ジクロシメット,ベンフラカルブ,フィプロニル,フラメトピル]、[ジクロシメット,ベンフラカルブ,フラメトピル]、[スルホキサフロル,イソチアニル]、[スルホキサフロル,イソチアニル,カルタップ塩酸塩]、[スルホキサフロル,イソチアニル,カルタップ塩酸塩,フラメトピル]、[スルホキサフロル,イソチアニル,ピメトロジン]、[スルホキサフロル,イソチアニル,ピメトロジン,フラメトピル]、[スルホキサフロル,イソチアニル,フィプロニル]、[スルホキサフロル,イソチアニル,フィプロニル,フラメトピル]、[スルホキサフロル,イソチアニル,フラメトピル]、[スルホキサフロル,ジクロシメット]、[スルホキサフロル,ジクロシメット,カルタップ塩酸塩]、[スルホキサフロル,ジクロシメット,カルタップ塩酸塩,フラメトピル]、[スルホキサフロル,ジクロシメット,ピメトロジン]、[スルホキサフロル,ジクロシメット,ピメトロジン,フラメトピル]、[スルホキサフロル,ジクロシメット,フィプロニル]、[スルホキサフロル,ジクロシメット,フィプロニル,フラメトピル]、[スルホキサフロル,ジクロシメット,フラメトピル]、[スルホキサフロル,チアジニル]、[スルホキサフロル,チアジニル,カルタップ塩酸塩]、[スルホキサフロル,チアジニル,カルタップ塩酸塩,フラメトピル]、[スルホキサフロル,チアジニル,ピメトロジン]、[スルホキサフロル,チアジニル,ピメトロジン,フラメトピル]、[スルホキサフロル,チアジニル,フィプロニル]、[スルホキサフロル,チアジニル,フィプロニル,フラメトピル]、[スルホキサフロル,チアジニル,フラメトピル]、[スルホキサフロル,ピロキロン]、[スルホキサフロル,ピロキロン,カルタップ塩酸塩]、[スルホキサフロル,ピロキロン,カルタップ塩酸塩,フラメトピル]、[スルホキサフロル,ピロキロン,ピメトロジン]、[スルホキサフロル,ピロキロン,ピメトロジン,フラメトピル]、[スルホキサフロル,ピロキロン,フィプロニル]、[スルホキサフロル,ピロキロン,フィプロニル,フラメトピル]、[スルホキサフロル,ピロキロン,フラメトピル]、[スルホキサフロル,プロベナゾール]、[スルホキサフロル,プロベナゾール,カルタップ塩酸塩]、[スルホキサフロル,プロベナゾール,カルタップ塩酸塩,フラメトピル]、[スルホキサフロル,プロベナゾール,ピメトロジン]、[スルホキサフロル,プロベナゾール,ピメトロジン,フラメトピル]、[スルホキサフロル,プロベナゾール,フィプロニル]、[スルホキサフロル,プロベナゾール,フィプロニル,フラメトピル]、[スルホキサフロル,プロベナゾール,フラメトピル]、[チアジニル]、[チアジニル,カルタップ塩酸塩]、[チアジニル,カルタップ塩酸塩,フラメトピル]、[チアジニル,カルボスルファン]、[チアジニル,カルボスルファン,カルタップ塩酸塩]、[チアジニル,カルボスルファン,カルタップ塩酸塩,フラメトピル]、[チアジニル,カルボスルファン,クロチアニジン]、[チアジニル,カルボスルファン,クロチアニジン,フラメトピル]、[チアジニル,カルボスルファン,ジノテフラン]、[チアジニル,カルボスルファン,ジノテフラン,フラメトピル]、[チアジニル,カルボスルファン,ピメトロジン]、[チアジニル,カルボスルファン,ピメトロジン,フラメトピル]、[チアジニル,カルボスルファン,フィプロニル]、[チアジニル,カルボスルファン,フィプロニル,フラメトピル]、[チアジニル,カルボスルファン,フラメトピル]、[チアジニル,クロチアニジン]、[チアジニル,クロチアニジン,カルタップ塩酸塩]、[チアジニル,クロチアニジン,フラメトピル]、[チアジニル,クロチアニジン,フラメトピル,カルタップ塩酸塩]、[チアジニル,ジノテフラン]、[チアジニル,ジノテフラン,カルタップ塩酸塩]、[チアジニル,ジノテフラン,カルタップ塩酸塩,フラメトピル]、[チアジニル,ジノテフラン,ピメトロジン]、[チアジニル,ジノテフラン,ピメトロジン,フラメトピル]、[チアジニル,ジノテフラン,フィプロニル]、[チアジニル,ジノテフラン,フィプロニル,フラメトピル]、[チアジニル,ジノテフラン,フラメトピル]、[チアジニル,チアメトキサム]、[チアジニル,チアメトキサム,カルタップ塩酸塩]、[チアジニル,チアメトキサム,カルタップ塩酸塩,フラメトピル]、[チアジニル,チアメトキサム,ピメトロジン]、[チアジニル,チアメトキサム,ピメトロジン,フラメトピル]、[チアジニル,チアメトキサム,フィプロニル]、[チアジニル,チアメトキサム,フィプロニル,フラメトピル]、[チアジニル,チアメトキサム,フラメトピル]、[チアジニル,ピメトロジン]、[チアジニル,ピメトロジン,カルタップ塩酸塩]、[チアジニル,ピメトロジン,カルタップ塩酸塩,フラメトピル]、[チアジニル,ピメトロジン,クロチアニジン]、[チアジニル,ピメトロジン,クロチアニジン,フラメトピル]、[チアジニル,ピメトロジン,フィプロニル]、[チアジニル,ピメトロジン,フィプロニル,フラメトピル]、[チアジニル,ピメトロジン,フラメトピル]、[チアジニル,フィプロニル]、[チアジニル,フィプロニル,カルタップ塩酸塩]、[チアジニル,フィプロニル,カルタップ塩酸塩,フラメトピル]、[チアジニル,フィプロニル,クロチアニジン]、[チアジニル,フィプロニル,クロチアニジン,フラメトピル]、[チアジニル,フィプロニル,フラメトピル]、[チアジニル,フラメトピル]、[チアジニル,ベンフラカルブ]、[
チアジニル,ベンフラカルブ,カルタップ塩酸塩]、[チアジニル,ベンフラカルブ,カルタップ塩酸塩,フラメトピル]、[チアジニル,ベンフラカルブ,クロチアニジン]、[チアジニル,ベンフラカルブ,クロチアニジン,フラメトピル]、[チアジニル,ベンフラカルブ,ジノテフラン]、[チアジニル,ベンフラカルブ,ジノテフラン,フラメトピル]、[チアジニル,ベンフラカルブ,ピメトロジン]、[チアジニル,ベンフラカルブ,ピメトロジン,フラメトピル]、[チアジニル,ベンフラカルブ,フィプロニル]、[チアジニル,ベンフラカルブ,フィプロニル,フラメトピル]、[チアジニル,ベンフラカルブ,フラメトピル]、[ピロキロン]、[ピロキロン,カルタップ塩酸塩]、[ピロキロン,カルタップ塩酸塩,フラメトピル]、[ピロキロン,カルボスルファン]、[ピロキロン,カルボスルファン,カルタップ塩酸塩]、[ピロキロン,カルボスルファン,カルタップ塩酸塩,フラメトピル]、[ピロキロン,カルボスルファン,クロチアニジン]、[ピロキロン,カルボスルファン,クロチアニジン,フラメトピル]、[ピロキロン,カルボスルファン,ジノテフラン]、[ピロキロン,カルボスルファン,ジノテフラン,フラメトピル]、[ピロキロン,カルボスルファン,ピメトロジン]、[ピロキロン,カルボスルファン,ピメトロジン,フラメトピル]、[ピロキロン,カルボスルファン,フィプロニル]、[ピロキロン,カルボスルファン,フィプロニル,フラメトピル]、[ピロキロン,カルボスルファン,フラメトピル]、[ピロキロン,クロチアニジン]、[ピロキロン,クロチアニジン,カルタップ塩酸塩]、[ピロキロン,クロチアニジン,フラメトピル]、[ピロキロン,クロチアニジン,フラメトピル,カルタップ塩酸塩]、[ピロキロン,ジノテフラン]、[ピロキロン,ジノテフラン,カルタップ塩酸塩]、[ピロキロン,ジノテフラン,カルタップ塩酸塩,フラメトピル]、[ピロキロン,ジノテフラン,ピメトロジン]、[ピロキロン,ジノテフラン,ピメトロジン,フラメトピル]、[ピロキロン,ジノテフラン,フィプロニル]、[ピロキロン,ジノテフラン,フィプロニル,フラメトピル]、[ピロキロン,ジノテフラン,フラメトピル]、[ピロキロン,チアメトキサム]、[ピロキロン,チアメトキサム,カルタップ塩酸塩]、[ピロキロン,チアメトキサム,カルタップ塩酸塩,フラメトピル]、[ピロキロン,チアメトキサム,ピメトロジン]、[ピロキロン,チアメトキサム,ピメトロジン,フラメトピル]、[ピロキロン,チアメトキサム,フィプロニル]、[ピロキロン,チアメトキサム,フィプロニル,フラメトピル]、[ピロキロン,チアメトキサム,フラメトピル]、[ピロキロン,ピメトロジン]、[ピロキロン,ピメトロジン,カルタップ塩酸塩]、[ピロキロン,ピメトロジン,カルタップ塩酸塩,フラメトピル]、[ピロキロン,ピメトロジン,クロチアニジン]、[ピロキロン,ピメトロジン,クロチアニジン,フラメトピル]、[ピロキロン,ピメトロジン,フィプロニル]、[ピロキロン,ピメトロジン,フィプロニル,フラメトピル]、[ピロキロン,ピメトロジン,フラメトピル]、[ピロキロン,フィプロニル]、[ピロキロン,フィプロニル,カルタップ塩酸塩]、[ピロキロン,フィプロニル,カルタップ塩酸塩,フラメトピル]、[ピロキロン,フィプロニル,クロチアニジン]、[ピロキロン,フィプロニル,クロチアニジン,フラメトピル]、[ピロキロン,フィプロニル,フラメトピル]、[ピロキロン,フラメトピル]、[ピロキロン,ベンフラカルブ]、[ピロキロン,ベンフ���カルブ,カルタップ塩酸塩]、[ピロキロン,ベンフラカルブ,カルタップ塩酸塩,フラメトピル]、[ピロキロン,ベンフラカルブ,クロチアニジン]、[ピロキロン,ベンフラカルブ,クロチアニジン,フラメトピル]、[ピロキロン,ベンフラカルブ,ジノテフラン]、[ピロキロン,ベンフラカルブ,ジノテフラン,フラメトピル]、[ピロキロン,ベンフラカルブ,ピメトロジン]、[ピロキロン,ベンフラカルブ,ピメトロジン,フラメトピル]、[ピロキロン,ベンフラカルブ,フィプロニル]、[ピロキロン,ベンフラカルブ,フィプロニル,フラメトピル]、[ピロキロン,ベンフラカルブ,フラメトピル]、[プロベナゾール]、[プロベナゾール,カルタップ塩酸塩]、[プロベナゾール,カルタップ塩酸塩,フラメトピル]、[プロベナゾール,カルボスルファン]、[プロベナゾール,カルボスルファン,カルタップ塩酸塩]、[プロベナゾール,カルボスルファン,カルタップ塩酸塩,フラメトピル]、[プロベナゾール,カルボスルファン,クロチアニジン]、[プロベナゾール,カルボスルファン,クロチアニジン,フラメトピル]、[プロベナゾール,カルボスルファン,ジノテフラン]、[プロベナゾール,カルボスルファン,ジノテフラン,フラメトピル]、[プロベナゾール,カルボスルファン,ピメトロジン]、[プロベナゾール,カルボスルファン,ピメトロジン,フラメトピル]、[プロベナゾール,カルボスルファン,フィプロニル]、[プロベナゾール,カルボスルファン,フィプロニル,フラメトピル]、[プロベナゾール,カルボスルファン,フラメトピル]、[プロベナゾール,クロチアニジン]、[プロベナゾール,クロチアニジン,カルタップ塩酸塩]、[プロベナゾール,クロチアニジン,フラメトピル]、[プロベナゾール,クロチアニジン,フラメトピル,カルタップ塩酸塩]、[プロベナゾール,ジノテフラン]、[プロベナゾール,ジノテフラン,カルタップ塩酸塩]、[プロベナゾール,ジノテフラン,カルタップ塩酸塩,フラメトピル]、[プロベナゾール,ジノテフラン,ピメトロジン]、[プロベナゾール,ジノテフラン,ピメトロジン,フラメトピル]、[プロベナゾール,ジノテフラン,フィプロニル]、[プロベナゾール,ジノテフラン,フィプロニル,フラメトピル]、[プロベナゾール,ジノテフラン,フラメトピル]、[プロベナゾール,チアメトキサム]、[プロベナゾール,チアメトキサム,カルタップ塩酸塩]、[プロベナゾール,チアメトキサム,カルタップ塩酸塩,フラメトピル]、[プロベナゾール,チアメトキサム,ピメトロジン]、[プロベナゾール,チアメトキサム,ピメトロジン,フラメトピル]、[プロベナゾール,チアメトキサム,フィプロニル]、[プロベナゾール,チアメトキサム,フィプロニル,フラメトピル]、[プロベナゾール,チアメトキサム,フラメトピル]、[プロベナゾール,ピメトロジン]、[プロベナゾール,ピメトロジン,カルタップ塩酸塩]、[プロベナゾール,ピメトロジン,カルタップ塩酸塩,フラメトピル]、[プロベナゾール,ピメトロジン,クロチアニジン]、[プロベナゾール,ピメトロジン,クロチアニジン,フラメトピル]、[プロベナゾール,ピメトロジン,フィプロニル]、[プロベナゾール,ピメトロジン,フィプロニル,フラメトピル]、[プロベナゾール,ピメトロジン,フラメトピル]、[プロベナゾール,フィプロニル]、[プロベナゾール,フィプロニル,カルタップ塩酸塩]、[プロベナゾール,フィプロニル,カルタップ塩酸塩,フラメトピル]、[プロベナゾール,フィプロニル,クロチアニジン]、[プロベナゾール,フィプロニル,クロチアニジン,フラメトピル]、[プロベナゾール,フィプロニル,フラメトピル]、[プロベナゾール,フラメトピル]、[プロベナゾール,ベンフラカルブ]、[プロベナゾール,ベンフラカルブ,カルタップ塩酸塩]、[プロベナゾール,ベンフラカルブ,カルタップ塩酸塩,フラメトピル]、[プロベナゾール,ベンフラカルブ,クロチアニジン]、[プロベナゾール,ベンフラカルブ,クロチアニジン,フラメトピル]、[プロベナゾール,ベンフラカルブ,ジノテフラン]、[プロベナゾール,ベンフラカルブ,ジノテフラン,フラメトピル]、[プロベナゾール,ベンフラカルブ,ピメトロジン]、[プロベナゾール,ベンフラカルブ,ピメトロジン,フラメトピル]、[プロベナゾール,ベンフラカルブ,フィプロニル]、[プロベナゾール,ベンフラカルブ,フィプロニル,フラメトピル]、[プロベナゾール,ベンフラカルブ,フラメトピル]、
【００４４】
本発明において、薬剤は、通常有効成分と不活性担体とが混合され、必要に応じて界面活性剤やその他の製剤用補助剤が添加されて、粒剤、溶出制御型粒剤、粉剤、フロアブル剤、水和剤、顆粒水和剤、水溶剤、顆粒水溶剤等に製剤化されているものを用いる。
【００４５】
製剤化の際に用いられる不活性担体としては、固体担体、液体担体が挙げられる。前記の固体担体としては、例えば粘土類（カオリンクレー、珪藻土、ベントナイト、フバサミクレー、酸性白土等）、合成含水酸化珪素、タルク、セラミック、その他の無機鉱物（セリサイト、石英、硫黄、活性炭、炭酸カルシウム、水和シリカ等）、化学肥料（硫安、燐安、硝安、尿素、塩安等）等の微粉末及び粒状物、並びに合成樹脂（ポリプロピレン、ポリアクリロニトリル、ポリメタクリル酸メチル、ポリエチレンテレフタレート等のポリエステル樹脂、ナイロン−６、ナイロン−１１、ナイロン−６６等のナイロン樹脂、ポリアミド樹脂、ポリ塩化ビニル、ポリ塩化ビニリデン、塩化ビニル−プロピレン共重合体等）が挙げられる。
【００４６】
液体担体としては、例えば水、アルコール類（メタノール、エタノール、イソプロピルアルコール、ブタノール、ヘキサノール、ベンジルアルコール、エチレングリコール、プロピレングリコール、フェノキシエタノール等）、ケトン類（アセトン、メチルエチルケトン、シクロヘキサノン等）、芳香族炭化水素類（トルエン、キシレン、エチルベンゼン、ドデシルベンゼン、フェニルキシリルエタン、メチルナフタレン等）、脂肪族炭化水素類（ヘキサン、シクロヘキサン、灯油、軽油等）、エステル類（酢酸エチル、酢酸ブチル、ミリスチン酸イソプロピル、オレイン酸エチル、アジピン酸ジイソプロピル、アジピン酸ジイソブチル、プロピレングリコールモノメチルエーテルアセテート等）、ニトリル類（アセトニトリル、イソブチロニトリル等）、エーテル類（ジイソプロピルエーテル、１，４−ジオキサン、エチレングリコールジメチルエーテル、ジエチレングリコールジメチルエーテル、ジエチレングリコールモノメチルエーテル、プロピレングリコールモノメチルエーテル、ジプロピレングリコールモノメチルエーテル、３−メトキシ−３−メチル−１−ブタノール等）、酸アミド類（Ｎ，Ｎ−ジメチルホルムアミド、Ｎ，Ｎ−ジメチルアセトアミド等）、ハロゲン化炭化水素類（ジクロロメタン、トリクロロエタン、四塩化炭素等）、スルホキシド類（ジメチルスルホキシド等）、炭酸プロピレン及び植物油（大豆油、綿実油等）が挙げられる。
【００４７】
界面活性剤としては、例えばポリオキシエチレンアルキルエーテル、ポリオキシエチレンアルキルアリールエーテル、ポリエチレングリコール脂肪酸エステル等の非イオン界面活性剤、及びアルキルスルホン酸塩、アルキルベンゼンスルホン酸塩、アルキル硫酸塩等の陰イオン界面活性剤が挙げられる。
【００４８】
その他の製剤用補助剤としては、固着剤、分散剤、着色剤及び安定剤等、具体的にはカゼイン、ゼラチン、糖類（でんぷん、アラビアガム、セルロース誘導体、アルギン酸等）、リグニン誘導体、ベントナイト、合成水溶性高分子（ポリビニルアルコール、ポリビニルピロリドン、ポリアクリル酸類等）、ＰＡＰ（酸性りん酸イソプロピル）、ＢＨＴ（２，６−ジ−ｔｅｒｔ−ブチル−４−メチルフェノール）、ＢＨＡ（２−ｔｅｒｔ−ブチル−４−メトキシフェノールと３−ｔｅｒｔ−ブチル−４−メトキシフェノールとの混合物）等が挙げられる。
【００４９】
本発明における薬剤の施用量は、播種面積（栽培面積）１０アールあたり、通常５０００グラム以下、好ましくは１０００グラム以下、有効成分として、通常１０００グラム以下、好ましくは５００グラム以下である。
【００５０】
本発明によりイネを播種した後は、通常の栽培条件に保つことにより、良好な栽培が達成される。
【００５１】
本発明において、防除できるイネ病害としては、例えば、いもち病（Ｍａｇｎａｐｏｒｔｈｅ  ｇｒｉｓｅａ）、イネ紋枯病（Ｔｈａｎａｔｅｐｈｏｒｕｓ ｃｕｃｕｍｅｒｉｓ）、ごま葉枯病（Ｃｏｃｈｌｉｏｂｏｌｕｓ ｍｉｙａｂｅａｎｕｓ）、白葉枯病（Ｘａｎｔｈｏｍｏｎａｓ  ｃａｍｐｅｓｔｒｉｓ  ｐｖ．ｏｒｙｚａｅ）、ばか苗病（Ｇｉｂｂｅｒｅｌｌａ  ｆｕｊｉｋｕｒｏｉ）、イネ苗腐病（Ｐｙｔｈｉｕｍ  ａｒｒｈｅｎｏｍａｎｅｓ、Ｐｙｔｈｉｕｍ  ｇｒａｍｉｎｉｃｏｌａなど）、紋枯病（Ｒｈｉｚｏｃｔｏｎｉａ  ｓｏｌａｎｉ）、イネ疫病（Ｐｈｙｔｏｐｈｔｈｏｒａ  ｊａｐｏｎｉｃａ  Ｗａｔｅｒｈｏｕｓｅ）、イネ綿疫病（Ｐｈｙｔｏｐｈｔｈｏｒａ  ｍｅｇａｓｐｅｒｍａ  ｖａｒ．  ｓｏｊａｅ  Ｈｉｌｄｅｂｒａｎｄ）、イネもみ枯れ細菌病（Ｂｕｒｋｈｏｌｄｅｒｉａ  ｇｌｕｍａｅ）、苗立ち枯れ細菌病（Ｂｕｒｋｈｏｌｄｅｒｉａ  ｐｌａｎｔａｒｉｉ）、褐条病（Ｐｓｕｅｄｏｍｏｎａｓ  ａｖｅｎａｅ）などの病原細菌類が挙げられる。
【００５２】
本発明において、防除できる害虫としては、例えば次のものが挙げられる。
【００５３】
半翅目害虫：ヒメトビウンカ（Ｌａｏｄｅｌｐｈａｘ  ｓｔｒｉａｔｅｌｌｕｓ）、トビイロウンカ（Ｎｉｌａｐａｒｖａｔａ  ｌｕｇｅｎｓ）、セジロウンカ（Ｓｏｇａｔｅｌｌａ  ｆｕｒｃｉｆｅｒａ）等のウンカ類、ツマグロヨコバイ（Ｎｅｐｈｏｔｅｔｔｉｘ  ｃｉｎｃｔｉｃｅｐｓ）、タイワンツマグロヨコバイ（Ｎｅｐｈｏｔｅｔｔｉｘ  ｖｉｒｅｓｃｅｎｓ）、イナズマヨコバイ（Ｒｅｃｉｌｉａ  ｄｏｒｓａｌｉｓ）等のヨコバイ類、ワタアブラムシ（Ａｐｈｉｓ  ｇｏｓｓｙｐｉｉ）、ムギヒゲナガアブラムシ（Ｓｉｔｏｂｉｏｎ  ａｋｅｂｉａｅ）、ムギクビレアブラムシ（Ｒｈｏｐａｌｏｓｉｐｈｕｍ  ｐａｄｉ）等のアブラムシ類、アオクサカメムシ（Ｎｅｚａｒａ  ａｎｔｅｎｎａｔａ）、アカヒゲホソミドリカスミカメ（Ｔｒｉｇｏｎｏｔｙｌｕｓ  ｃａｅｌｅｓｔｉａｌｉｕｍ）、アカスジカメムシ（Ｇｒａｐｈｏｓｏｍａ  ｒｕｂｒｏｌｉｎｅａｔｕｍ）、オオトゲシラホシカメムシ（Ｅｙｓａｒｃｏｒｉｓ  ｌｅｗｉｓｉ）、ホソハリカメムシ（Ｒｉｐｔｏｒｔｕｓ  ｃｌａｖｅｔｕｓ）、クモヘリカメムシ（Ｌｅｐｔｏｃｏｒｉｓａ  ｃｈｉｎｅｎｓｉｓ）、トゲシラホシカメムシ（Ｅｙｓａｒｃｏｒｉｓ  ｐａｒｖｕｓ）、クサギカメムシ（Ｈａｌｙｏｍｏｒｐｈａ  ｍｉｓｔａ）、ミナミアオカメムシ（Ｎｅｚａｒａ  ｖｉｒｉｄｕｌａ）等のカメムシ類等；
鱗翅目害虫：ニカメイガ（Ｃｈｉｌｏ  ｓｕｐｐｒｅｓｓａｌｉｓ）、サンカメイガ（Ｔｒｙｐｏｒｙｚａ  ｉｎｃｅｒｔｕｌａｓ）、コブノメイガ（Ｃｎａｐｈａｌｏｃｒｏｃｉｓ  ｍｅｄｉｎａｌｉｓ）、アワノメイガ（Ｏｓｔｒｉｎｉａ  ｆｕｒｎａｃａｌｉｓ）等のメイガ類、アワヨトウ（Ｐｓｅｕｄａｌｅｔｉａ  ｓｅｐａｒａｔａ）、イネヨトウ（Ｓｅｓａｍｉａ  ｉｎｆｅｒｅｎｓ）、ヨトウガ（Ｍａｍｅｓｔｒａ    ｂｒａｓｓｉｃａｅ）イネキンウワバ（Ｐｌｕｓｉａ  ｆｅｓｔｕｃａｅ），）フタオビコヤガ（Ｎａｒａｎｇａ  ａｅｎｅｓｃｅｎｓ）等のヤガ類；
アザミウマ目害虫：イネアザミウマ（Ｓｔｅｎｃｈａｅｔｏｔｈｒｉｐｓ  ｂｉｆｏｒｍｉｓ）、イネクダアザミウマ（Ｈａｐｌｏｔｈｒｉｐｓ  ａｃｕｌｅａｔｕｓ）等のアザミウマ類；
双翅目害虫：タネバエ（Ｈｙｌｅｍｙａ  ｐｌａｔｕｒａ）等のハナバエ類、イネハモグリバエ（Ａｇｒｏｍｙｚａ  ｏｒｙｚａｅ）、イネヒメハモグリバエ（Ｈｙｄｒｅｌｌｉａ  ｇｒｉｓｅｏｌａ）等のハモグリバエ類、イネキモグリバエ（Ｃｈｌｏｒｏｐｓ  ｏｒｙｚａｅ）、等のキモグリバエ類、キリウジガガンボ（Ｔｉｐｕｌａ  ａｉｎｏ）等のガガンボ類等；
甲虫目害虫：イネドロオイムシ（Ｏｕｌｅｍａ  ｏｒｙｚａｅ）等のハムシ類、イネゾウムシ（Ｅｃｈｉｎｏｃｎｅｍｕｓ  ｓｑｕａｍｅｕｓ）、イネミズゾウムシ（Ｌｉｓｓｏｒｈｏｐｔｒｕｓ  ｏｒｙｚｏｐｈｉｌｕｓ）等のゾウムシ類等；
直翅目害虫：ケラ（Ｇｒｙｌｌｏｔａｌｐａ  ａｆｒｉｃａｎａ）、コバネイナゴ（Ｏｘｙａ  ｙｅｚｏｅｎｓｉｓ）、ハネナガイナゴ（Ｏｘｙａ  ｊａｐｏｎｉｃａ）等；
イネシンガレセンチュウ（Ａｐｈｅｌｅｎｃｈｏｉｄｅｓ  ｂｅｓｓｅｙｉ）等のセンチュウ類、スクミリンゴガイ（Ｐｏｍａｃｅａ  ｃａｎａｌｉｃｕｌａｔａ）等のリンゴガイ類、ヒメモノアラガイ（Ａｕｓｒｏｐｅｐｌｅａ  ｏｌｌｕｌａ）等のモノアラガイ類が挙げられる。
【００５４】
本発明は、殊に、イネいもち病、紋枯病、ウンカ類、ヨコバイ類、アブラムシ類、カメムシ類、イネミズゾウムシ、イネドロオイムシ、メイガ類、ヤガ類、リンゴガイ類等の病害虫を効果的に防除し得る方法である。
【００５５】
本発明においては、イネの栽培において用いられる除草剤を併用することもできる。
かかる除草剤としては、グリホサート、グルホシネート等のアミノ酸系化合物、エスプロカルブ、ピリブチカルブ、ベンチオカーブ、モリネート等のカーバメート系化合物、エトベンザニド、カフェンストロール、テニルクロール、ブタクロール、プレチラクロール、ブロモブチド、メフェナセット等の酸アミド系化合物、トリフルラリン等のジニトロアニリン系化合物、アジムスルフロン、イマゾスルフロン、エトキシスルフロン、シクロスルファムロン、ハロスルフロンメチル、ピラゾスルフロンエチル、フルセトスルフロン、プロピリスルフロン、ベンスルフロンメチル、チフェンスルフロンメチル等のスルホニルウレア系化合物、ピリミスルファン等のスルホンアニリド系化合物、ベンタゾン等のダイアジン系化合物、オキサジアゾン、オキサジアルギル、ピラクロニル、ピラゾキシフェン、ピラゾレート、ピラフルフェンエチル、ベンゾフェナップ等のダイアゾール系化合物、ジメタメトリン、シメトリン、プロメトリン等のトリアジン系化合物、テフリルトリオン、メソトリオン等のトリケトン系化合物、クミルロン、ダイムロン等の尿素系化合物、ジクワット、パラコート等のビピリジウム系化合物、ビスピリバックナトリウム塩、ピリミノバックメチル、ペノキススラム等のピリミジルオキシ安息香酸系化合物、２，４−D、ＭＣＰＡ、キザロホップ、クロメプロップ、シハロホップ、シハロホップブチル、ハロキシホップ、クロジナホップ等のフェノキシ酸系化合物、イソキサフルトール等のイソキサゾール系化合物、イマゼタピル等のイミダゾリノン系化合物、ブタミホス等の有機リン系化合物、ジカンバ等の芳香族カルボン酸系化合物、インダノファン、オキサジクロメホン、カルフェントラゾンエチル、キノクラミン、ピリフタリド、フェントラザミド、ベンゾビシクロン、ペントキサゾン、ベンフレセート等が挙げられる。
【００５６】
本発明においては、イネか作物に対するセーフナーを併用することもできる。かかるセーフナーとしては、例えば、ダイムロン、イソキサジフェンエチル、フリラゾール、ジクロルミド、ベノキサコールおよびシプロスルファミド等が挙げられる。
【実施例】
【００５７】
以下、本発明を実施例にてさらに詳しく説明するが、本発明は以下の例のみに限定されるものではない。
【００５８】
実施例１
１／５０００aのワグネルポットに水田土壌を深さ１５センチメートルになるように充填し、代かき、落水をした。表２に示す位置にクロチアニジン・イソチアニル粒剤（クロチアニジン１．５％、イソチアニル２．０％；スタウトダントツ箱粒剤、住友化学株式会社製）１ｋｇ／１０ａ相当をすじ状に施用し、直後に覆土した。鉄粉を用いて粉衣処理されたイネ種子（品種：ヒノヒカリ）を播いた後は「鉄コーティング湛水直播マニュアル２０１０」（独立行政法人  農業・食品産業技術総合研究機構  近畿中国四国農業研究センター）に準じて栽培管理を行った。
播種２１日後に各処理区より任意の３ポット分の茎葉部をハサミで切断し、稲体に含まれるクロチアニジンの濃度を分析して無処理区と比較した。
【００５９】
［表２］
2015029429.tif 000009
本発明により、直播栽培における稲の病害虫に対する防除が効果的に行われることが可能となった。
【００６０】
実施例２
１／１００００ａワグネルポットの湛水した土壌に被覆材で被覆されたイネ種子１０粒をポットの中央に播く。播種当日に、播種した位置から５センチメートル離れた位置に作溝し、クロチアニジン粒剤１５ｇ/１０a相当量をすじ状に施用する。播種３０日後、イネの株元をプラスチック製カップで覆い、イネミズゾウムシを１０頭ずつ放飼し、放飼６日後に生死を観察する。その結果、イネミズゾウムシに対して防除効果が確認できる。
【００６１】
実施例３
１／１００００ａワグネルポットの湛水した土壌に被覆材で被覆されたイネ種子１０粒をポットの中央に播く。播種当日に、播種した位置から５センチメートル離れた位置に作溝し、イソチアニル粒剤２０ｇ/１０a相当量をすじ状に施用する。播種３０日後にいもち病菌（１×１０4  ｓｐｏｅｓ／ｍｌ）を霧吹きで接種し、接種１４日後にいもち病の病斑数を数える。その結果、いもち病に対して防除効果が確認できる。
【００６２】
実施例４
代掻きを実施した後、数日間落水管理した水田に乗用播種機にて、被覆材で被覆されたイネ種子を数粒播種しながら、表３〜１２に示す薬剤のいずれかを所定の施用位置へ施用した。播種２９〜９７日後、イネミズゾウムシ（表３、４）、イネドロオイムシ（表５、６）、ツマグロヨコバイ（表７）、ヒメトビウンカ（表８）、トビイロウンカ（表９）、フタオビコヤガ（表１０）、いもち病（表１１、１２）に対する防除効果を調査した。
表３〜１２に記載される薬剤は、以下のものを使用した。
スタウトダントツ箱粒剤  クロチアニジン・イソチアニル粒剤（クロチアニジン１．５％、イソチアニル２．０％；住友化学株式会社製）
スタウトダントツ箱粒剤０８  クロチアニジン・イソチアニル粒剤（クロチアニジン０．８％、イソチアニル２．０％；住友化学株式会社製）
ワンリード箱粒剤０８  クロチアニジン粒剤（クロチアニジン０．８％；住友化学株式会社製）
パダン粒剤４  カルタップ粒剤（カルタップ４．０％；住友化学株式会社製）
Ｄｒ．オリゼ箱粒剤  プロベナゾール粒剤（プロベナゾール２４．０％；Meiji Seika ファルマ株式会社製）
【００６３】
［表３］
2015029429.tif 000010
【００６４】
［表４］
2015029429.tif 000011
【００６５】
［表５］
2015029429.tif 000012
【００６６】
［表６］
2015029429.tif 000013
【００６７】
［表７］
2015029429.tif 000014
【００６８】
［表８］
2015029429.tif 000015
【００６９】
［表９］
2015029429.tif 000016
【００７０】
［表１０］
2015029429.tif 000017
【００７１】
［表１１］
2015029429.tif 000018
【００７２】
［表１２］
2015029429.tif 000019
【符号の説明】
【００７３】
１  イネ種子
２  薬剤
３  土壌表面
（ａ）  圃場を、薬剤２の条に直交する面で垂直に切断した断面図
（ｂ）  薬剤２の条が上下になるように真上から見た投影図
ｄ１  土壌表面３から薬剤２までの距離
ｄ２  薬剤２の条に対して直交する方向での薬剤２の条からイネ種子１までの距離
【図１】
2015029429.tif 000020
【図２】
2015029429.tif 000021
【図３】
2015029429.tif 000022
【図４】
2015029429.tif 000023
【図５】
2015029429.tif 000024